(57)【要約】【課題】位相差を正確に検出することができる位相差検出回路を提供すること。【解決手段】本発明では、第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有する位相差検出回路において、前記位相ずれ方向検出回路は、位相のずれ方向の検出を行う前に前記第１又は第２の入力信号の波形を整形するための波形整形回路を有することにした。【選択図】      図１
2004362691.tif 000002
【特許請求の範囲】
【請求項１】
第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有する位相差検出回路において、
前記位相ずれ方向検出回路は、位相のずれ方向の検出を行う前に前記第１又は第２の入力信号の波形を整形するための波形整形回路を有することを特徴とする位相差検出回路。
【請求項２】
前記位相ずれ方向検出回路は、前記波形整形回路で前記第１又は第２の入力信号のいずれか一方の入力信号の前縁又は後縁から所定幅を有するパルス信号を生成することによって波形整形を行い、その後、前記パルス信号と他方の入力信号との間での位相のずれ方向を検出するように構成したことを特徴とする請求項１に記載の位相差検出回路。
【請求項３】
光ディスクのトラッキング方向に対して垂直方向に並設したディテクタの検出信号を第１及び第２の入力信号として、これらの第１及び第２の入力信号間の位相差を位相差検出回路で検出し、この位相差に基づいて光ディスクのトラック制御を行う光ディスク再生装置において、
前記位相差検出回路は、
第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有し、
しかも、前記位相ずれ方向検出回路は、位相のずれ方向の検出を行う前に前記第１又は第２の入力信号の波形を整形するための波形整形回路を有することを特徴とする光ディスク再生装置。
【請求項４】
前記位相ずれ方向検出回路は、前記波形整形回路で前記第１又は第２の入力信号のいずれか一方の入力信号の前縁又は後縁から所定幅を有するパルス信号を生成することによって波形整形を行い、その後、前記パルス信号と他方の入力信号との間での位相のずれ方向を検出するように構成したことを特徴とする請求項３に記載の光ディスク再生装置。
【発明の詳細な説明】
【０００１】
【発明の属する技術分野】
本発明は、位相差検出回路及び同回路を有する光ディスク再生装置に関するものである。
【０００２】
【従来の技術】
近年、大量の情報を記録することができる記録媒体として光ディスクが使用されるようになってきており、この光ディスクに情報を記録する場合や記録した情報を再生する場合には、光ディスク記録再生装置が使用される。
【０００３】
この光ディスク記録再生装置では、スピンドルモータで光ディスクを回転させるとともに、光ピックアップ装置を用いて回転する光ディスクに情報を記録し、或いは、情報を再生するように構成している。
【０００４】
そして、光ディスクに情報を正確に記録するため、或いは、情報を正確に再生するためには、光ピックアップ装置から光ディスクに照射するレーザ光の焦点位置及びスポット位置を高精度に制御する必要がある。
【０００５】
そのため、従来の光ディスク記録再生装置では、光ピックアップ装置から光ディスクに照射するレーザ光を４分割したディテクタで検出し、それぞれの検出信号の位相差を位相差検出回路で検出して、その位相差検出回路の出力信号である位相誤差信号に基づいてトラック制御を行うようにしていた（たとえば、特許文献１参照）。
【０００６】
かかる位相差検出回路１０１は、図７に示すように、４分割ディテクタ１０２の４個の検出器１０３，１０４，１０５，１０６のうちのトラッキング方向に対して垂直方向に並ぶ前方側の検出器１０３，１０４に前方側位相差検出回路１０７を接続するとともに、後方側の検出器１０５，１０６に後方側位相差検出回路１０８を接続し、これらの前方側位相差検出回路１０７と後方側位相差検出回路１０８の出力の総和から位相誤差信号Ｓ１０７を検出している。
【０００７】
前方側位相差検出回路１０７は、検出器１０３，１０４にそれぞれイコライザ１０９，１１０、ハイパスフィルタ１１１，１１２、ヒステリシス特性を有するコンパレータ１１３，１１４を接続して、検出器１０３，１０４で得られる第１及び第２の検出信号Ｓ１０１，Ｓ１０２を２値化した第１及び第２の入力信号Ｓ１０３，Ｓ１０４としている。
【０００８】
また、前方側位相差検出回路１０７は、第１及び第２の入力信号Ｓ１０３，Ｓ１０４の間での前縁（信号の立ち上がり）の位相のずれ方向を検出する前縁位相ずれ方向検出回路１１５（フリップフロップ回路）を有しており、この前縁位相ずれ方向検出回路１１５のデータ端子に第１の入力信号Ｓ１０３を入力するとともに、前縁位相ずれ方向検出回路１１５のクロック端子に第２の入力信号Ｓ１０４を入力し、出力端子から位相のずれ方向を示す位相ずれ方向信号Ｓ１０５を出力している。この前縁位相ずれ方向検出回路１１５は、第１の入力信号Ｓ１０３の前縁の方が第２の入力信号Ｓ１０４の前縁よりも早い場合には、第１の入力信号Ｓ１０３の方が第２の入力信号Ｓ１０４よりも位相が前縁に限られず後縁においても常に進んでいると判断して、位相ずれ方向信号Ｓ１０５として「Ｈ」レベルの信号を出力し、一方、第１の入力信号Ｓ１０３の前縁の方が第２の入力信号Ｓ１０４の前縁よりも遅い場合には、第１の入力信号Ｓ１０３の方が第２の入力信号Ｓ１０４よりも位相が前縁に限られず後縁においても常に遅れていると判断して、位相ずれ方向信号Ｓ１０５として「Ｌ」レベルの信号を出力する。
【０００９】
また、前方側位相差検出回路１０７は、前縁位相ずれ方向検出回路１１５で検出した位相のずれ方向に基づいて第１及び第２の入力信号Ｓ１０３，Ｓ１０４の間での位相差を検出する位相差算出回路１１６を有している。この位相差算出回路１１６は、第１及び第２の入力信号Ｓ１０３，Ｓ１０４と位相ずれ方向信号Ｓ１０５を入力信号とし、第１及び第２の入力信号Ｓ１０３，Ｓ１０４の排他的論理和をとり、位相ずれ方向信号Ｓ１０５が「Ｈ」レベルの場合には、「正（＋）」レベルの信号として前側位相差信号Ｓ１０６を出力し、一方、位相ずれ方向信号Ｓ１０５が「Ｌ」レベルの場合には、「負（−）」レベルの信号として前側位相差信号Ｓ１０６を出力する。
【００１０】
なお、後方側位相差検出回路１０８は、前方側位相差検出回路１０７と同様の構成となっている。また、図中、１１７は加算回路、１１８はローパスフィルタである。
【００１１】
【特許文献１】
特開昭６３−７０９３２号公報
【００１２】
【発明が解決しようとする課題】
ところが、上記従来の位相差検出回路にあっては、第１又は第２の入力信号にチャタリングが発生している場合には、前縁位相ずれ方向検出回路で誤って位相のずれ方向を検出してしまい、両信号間の位相差を正確に検出することができなくなり、これにより、光ディスク記録再生装置でのトラック制御を良好に行えなくなり、光ディスク記録再生装置の誤動作を招くおそれがあった。
【００１３】
【課題を解決するための手段】
そこで、請求項１に係る本発明では、第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有する位相差検出回路において、前記位相ずれ方向検出回路は、位相のずれ方向の検出を行う前に前記第１又は第２の入力信号の波形を整形するための波形整形回路を有することにした。
【００１４】
また、請求項２に係る本発明では、前記請求項１に係る本発明において、前記位相ずれ方向検出回路は、前記波形整形回路で前記第１又は第２の入力信号のいずれか一方の入力信号の前縁又は後縁から所定幅を有するパルス信号を生成することによって波形整形を行い、その後、前記パルス信号と他方の入力信号との間での位相のずれ方向を検出するように構成することにした。
【００１５】
また、請求項３に係る本発明では、光ディスクのトラッキング方向に対して垂直方向に並設したディテクタの検出信号を第１及び第２の入力信号として、これらの第１及び第２の入力信号間の位相差を位相差検出回路で検出し、この位相差に基づいて光ディスクのトラック制御を行う光ディスク再生装置において、前記位相差検出回路は、第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有し、しかも、前記位相ずれ方向検出回路は、位相のずれ方向の検出を行う前に前記第１又は第２の入力信号の波形を整形するための波形整形回路を有することにした。
【００１６】
また、請求項４に係る本発明では、前記請求項３に係る本発明において、前記位相ずれ方向検出回路は、前記波形整形回路で前記第１又は第２の入力信号のいずれか一方の入力信号の前縁又は後縁から所定幅を有するパルス信号を生成することによって波形整形を行い、その後、前記パルス信号と他方の入力信号との間での位相のずれ方向を検出するように構成することにした。
【００１７】
【発明の実施の形態】
本発明に係る光ディスク再生装置は、光ディスクのトラッキング方向に対して垂直方向に並設した２個のディテクタの検出信号を第１及び第２の入力信号として、これらの第１及び第２の入力信号間の位相差を位相差検出回路で検出し、この位相差に基づいて光ディスクのトラック制御を行うものである。
【００１８】
しかも、位相差検出回路は、第１及び第２の入力信号の前縁間での位相のずれ方向を検出する前縁位相ずれ方向検出回路と、第１及び第２の入力信号の後縁間での位相のずれ方向を検出する後縁位相ずれ方向検出回路と、第１及び第２の入力信号の前縁間では、前縁位相ずれ方向検出回路で検出した位相のずれ方向に基づいて第１及び第２の入力信号間での位相差を算出する一方、第１及び第２の入力信号の後縁間では、後縁位相ずれ方向検出回路で検出した位相のずれ方向に基づいて第１及び第２の入力信号間での位相差を算出する位相差算出回路とで構成している。
【００１９】
また、位相差算出回路は、前記位相差の算出タイミングが前記第１及び第２の入力信号の前縁間であるか後縁間であるかを判定する判定回路と、この判定回路の判定に応じて前縁位相ずれ方向検出回路又は後縁位相ずれ方向検出回路の出力を選択する選択回路と、この選択回路で選択された前縁位相ずれ方向検出回路又は後縁位相ずれ方向検出回路の出力に基づいて前記第１及び第２の入力信号間での位相差を算出する算出回路とで構成している。
【００２０】
また、前縁又は後縁位相ずれ方向検出回路は、位相のずれ方向の検出を行う前に第１又は第２の入力信号の波形を整形するための波形整形回路を有しており、この波形整形回路で第１又は第２の入力信号のいずれか一方の入力信号の前縁又は後縁から所定幅を有するパルス信号を生成することによって波形整形を行い、その後、パルス信号と他方の入力信号との間での位相のずれ方向を検出するように構成している。
【００２１】
そして、上記構成の位相差検出回路では、第１及び第２の入力信号の位相のずれ方向を検出する際に、前縁間での位相のずれ方向を検出するだけでなく、後縁間での位相のずれ方向をも検出しており、第１及び第２の入力信号の前縁間では、前縁間での位相のずれ方向に基づいて第１及び第２の入力信号間での位相差を算出し、第１及び第２の入力信号の後縁間では、後縁間での位相のずれ方向に基づいて第１及び第２の入力信号間での位相差を算出している。
【００２２】
そのため、第１及び第２の入力信号の振幅バラツキや回路構成素子の特性バラツキなどに起因して第１及び第２の入力信号の位相のずれ方向が前縁間と後縁間とが異なる場合であっても、両信号間の位相差を正確に検出することができ、これにより、光ディスク記録再生装置での光ディスクのトラック制御を良好に行うことができ、光ディスク記録再生装置を安定して動作させることができる。
【００２３】
また、位相差算出回路を判定回路と選択回路と算出回路とで構成することによって、簡単な回路構成とすることができ、回路規模の増大に伴う部品コストや製造コストの増大を防止することができる。
【００２４】
また、本発明では、前縁又は後縁位相ずれ方向検出回路に、位相のずれ方向の検出を行う前に第１又は第２の入力信号の波形を整形するための波形整形回路を設けている。
【００２５】
これにより、第１又は第２の入力信号にチャタリングが発生しても、第１又は第２の入力信号の波形を整形することで、チャタリングの影響を除去することができ、両信号間の位相差を正確に検出することができ、これにより、光ディスク記録再生装置での光ディスクのトラック制御を良好に行うことができ、光ディスク記録再生装置を安定して動作させることができる。
【００２６】
特に、前縁又は後縁位相ずれ方向検出回路を、波形整形回路で第１又は第２の入力信号のいずれか一方の入力信号の前縁又は後縁から所定幅を有するパルス信号を生成することによって波形整形を行い、その後、パルス信号と他方の入力信号との間での位相のずれ方向を検出するように構成した場合には、簡単な回路構成とすることができ、回路規模の増大に伴う部品コストや製造コストの増大を防止することができる。
【００２７】
以下に、本発明に係る光ディスク再生装置に用いる位相差検出回路の具体的な構成について、図面を参照しながら説明する。なお、以下の説明では光ディスク再生装置について説明しているが、本発明は、光ディスクに情報を書込むことができる光ディスク記録再生装置にも適用できるものである。
【００２８】
図１に示すように、本発明に係る光ディスク再生装置に用いる位相差検出回路１は、４分割ディテクタ２の４個の検出器３，４，５，６のうちの光ディスクのトラッキング方向に対して垂直方向に並ぶ前方側の検出器３，４に前方側位相差検出回路７を接続するとともに、後方側の検出器５，６に後方側位相差検出回路８を接続し、これらの前方側位相差検出回路７と後方側位相差検出回路８の出力の総和から位相誤差信号Ｓ１３を検出し、かかる位相誤差信号Ｓ１３に基づいて光ディスクのトラック制御を行うようにしている。なお、図中、９は加算回路、１０はローパスフィルタである。
【００２９】
前方側位相差検出回路７と後方側位相差検出回路８とは、同様の構成となっている。そのため、以下の説明では、前方側位相差検出回路７について説明する。
【００３０】
前方側位相差検出回路７は、図２に示すように、検出器３，４にそれぞれイコライザ１１，１２、ハイパスフィルタ１３，１４、コンパレータ１５，１６を直列接続して、検出器３，４で得られる第１及び第２の検出信号Ｓ１，Ｓ２を２値化した第１及び第２の入力信号Ｓ３，Ｓ４とそれを反転した第１及び第２の反転入力信号Ｓ５，Ｓ６としてコンパレータ１５，１６から出力するようにしている。
【００３１】
また、前方側位相差検出回路７は、コンパレータ１５，１６に前縁位相ずれ方向検出回路１７と後縁位相ずれ方向検出回路１８と位相差算出回路１９とを接続している。
【００３２】
前縁位相ずれ方向検出回路１７は、第１及び第２の入力信号Ｓ３，Ｓ４の前縁間での位相のずれ方向を検出する回路である。
【００３３】
具体的には、前縁位相ずれ方向検出回路１７は、フリップフロップ回路２０のデータ端子に第１の入力信号Ｓ３を接続するとともに、フリップフロップ回路２０のクロック端子に第２の入力信号Ｓ４を波形整形回路２１を介して接続している。
【００３４】
そして、前縁位相ずれ方向検出回路１７は、フリップフロップ回路２０で第１及び第２の入力信号Ｓ３，Ｓ４の前縁間での位相のずれ方向を検出して、第１の入力信号Ｓ３の前縁の方が第２の入力信号Ｓ４の前縁よりも位相が進んでいる場合には、前縁位相ずれ方向信号Ｓ７として「Ｈ」レベルの信号を出力し、一方、第１の入力信号Ｓ３の前縁の方が第２の入力信号Ｓ４の前縁よりも位相が遅れている場合には、前縁位相ずれ方向信号Ｓ７として「Ｌ」レベルの信号を出力する。
【００３５】
ここで、波形整形回路２１は、前縁位相ずれ方向検出回路１７で位相のずれ方向の検出を行う前に、第２の入力信号Ｓ４の波形を整形するための回路である。
【００３６】
具体的には、波形整形回路２１は、フリップフロップ回路２２のデータ端子に「Ｈ」レベルの信号を接続するとともに、フリップフロップ回路２２のクロック端子に第２の入力信号Ｓ４を接続し、フリップフロップ回路２２の出力端子をフリップフロップ回路２０のクロック端子に接続している。
【００３７】
また、波形整形回路２１は、フリップフロップ回路２２の出力端子をオア回路２３の一方の入力端子に接続するとともに、オア回路２３の他方の入力端子に第２の入力信号Ｓ４を接続し、さらには、オア回路２３の出力端子にディレイ回路２４の入力端子を接続するとともに、ディレイ回路２４の出力端子をフリップフロップ回路２２のリセット端子に接続している。なお、波形整形回路２１の構成を簡素化するために、フリップフロップ回路２２のリセット端子には、第２の入力信号Ｓ４をディレイ回路２４を介して接続するようにしてもよい。
【００３８】
これにより、波形整形回路２１は、第２の入力信号Ｓ４の前縁から所定幅（ディレイ回路２４での遅延時間幅）のパルス信号Ｓ８を生成することによって第２の入力信号Ｓ４の波形整形を行っている。
【００３９】
したがって、前縁位相ずれ方向検出回路１７では、パルス信号Ｓ８と第１の入力信号Ｓ３との前縁間での位相のずれ方向を検出している。
【００４０】
後縁位相ずれ方向検出回路１８は、第１及び第２の入力信号Ｓ３，Ｓ４（第１及び第２の反転入力信号Ｓ５，Ｓ６）の後縁間での位相のずれ方向を検出する回路である。
【００４１】
具体的には、後縁位相ずれ方向検出回路１８は、フリップフロップ回路２５のデータ端子に第１の反転入力信号Ｓ５を接続するとともに、フリップフロップ回路２５のクロック端子に第２の反転入力信号Ｓ６を波形整形回路２６を介して接続している。
【００４２】
そして、後縁位相ずれ方向検出回路１８は、フリップフロップ回路２５で第１及び第２の反転入力信号Ｓ５，Ｓ６の後縁間での位相のずれ方向（第１及び第２の入力信号Ｓ３，Ｓ４の後縁間での位相のずれ方向と同一方向）を検出して、第１の反転入力信号Ｓ５の後縁の方が第２の反転入力信号Ｓ６の後縁よりも位相が進んでいる場合には、後縁位相ずれ方向信号Ｓ９として「Ｈ」レベルの信号を出力し、一方、第１の反転入力信号Ｓ５の後縁の方が第２の反転入力信号Ｓ６の後縁よりも位相が遅れている場合には、後縁位相ずれ方向信号Ｓ９として「Ｌ」レベルの信号を出力する。
【００４３】
ここで、波形整形回路２６は、後縁位相ずれ方向検出回路１８で位相のずれ方向の検出を行う前に、第２の反転入力信号Ｓ６の波形を整形するための回路である。
【００４４】
具体的には、波形整形回路２６は、フリップフロップ回路２７のデータ端子に「Ｈ」レベルの信号を接続するとともに、フリップフロップ回路２７のクロック端子に第２の反転入力信号Ｓ６を接続し、フリップフロップ回路２７の出力端子をフリップフロップ回路２５のクロック端子に接続している。
【００４５】
また、波形整形回路２６は、フリップフロップ回路２７の出力端子をオア回路２８の一方の入力端子に接続するとともに、オア回路２８の他方の入力端子に第２の反転入力信号Ｓ６を接続し、さらには、オア回路２８の出力端子にディレイ回路２９の入力端子を接続するとともに、ディレイ回路２９の出力端子をフリップフロップ回路２７のリセット端子に接続している。なお、波形整形回路２６の構成を簡素化するために、フリップフロップ回路２７のリセット端子には、第２の反転入力信号Ｓ６をディレイ回路２９を介して接続するようにしてもよい。
【００４６】
これにより、波形整形回路２６は、第２の反転入力信号Ｓ６の後縁から所定幅（ディレイ回路２９での遅延時間幅）のパルス信号Ｓ１０を生成することによって第２の反転入力信号Ｓ６の波形整形を行っている。
【００４７】
したがって、後縁位相ずれ方向検出回路１８では、パルス信号Ｓ１０と第１の反転入力信号Ｓ５との後縁間での位相のずれ方向を検出している。
【００４８】
位相差算出回路１９は、第１及び第２の入力信号Ｓ３、Ｓ４の前縁間では、前縁位相ずれ方向検出回路１７で検出した位相のずれ方向に基づいて第１及び第２の入力信号Ｓ３，Ｓ４間での位相差を算出する一方、第１及び第２の入力信号Ｓ３，Ｓ４の後縁間では、後縁位相ずれ方向検出回路１８で検出した位相のずれ方向に基づいて第１及び第２の入力信号Ｓ３、Ｓ４間での位相差を算出するように構成している。
【００４９】
この位相差算出回路１９は、判定回路３０と選択回路３１と算出回路３２とで構成している。
【００５０】
判定回路３０は、位相差の算出タイミングが第１及び第２の入力信号Ｓ３、Ｓ４の前縁間であるか後縁間であるかを判定する回路である。
【００５１】
具体的には、判定回路３０は、フリップフロップ回路３３のデータ端子に「Ｈ」レベルの信号を接続するとともに、フリップフロップ回路３３のクロック端子に第１及び第２の入力信号Ｓ３、Ｓ４の論理積をアンド回路３４で算出した信号を接続し、さらには、フリップフロップ回路３３のリセット端子に第１及び第２の入力信号Ｓ３、Ｓ４の論理和の反転をノア回路３５で算出した信号を接続している。
【００５２】
そして、判定回路３０は、第１及び第２の入力信号Ｓ３、Ｓ４の前縁間である場合には、「Ｌ」レベルの信号を判定信号Ｓ１１としてフリップフロップ回路３３の出力端子から出力し、一方、第１及び第２の入力信号Ｓ３、Ｓ４の後縁間である場合には、「Ｈ」レベルの信号を判定信号Ｓ１１としてフリップフロップ回路３３の出力端子から出力する。
【００５３】
選択回路３１は、判定回路３０の判定に応じて前縁位相ずれ方向検出回路１７又は後縁位相ずれ方向検出回路１８の出力である前縁位相ずれ方向信号Ｓ７又は後縁位相ずれ方向信号Ｓ９を選択する回路である。
【００５４】
具体的には、選択回路３１は、判定回路３０から出力される判定信号Ｓ１１によって切替制御される２入力１出力型のスイッチ３６で構成しており、判定信号Ｓ１１が「Ｌ」レベルの信号の場合には、前縁位相ずれ方向検出回路１７の出力である前縁位相ずれ方向信号Ｓ７を選択し、一方、判定信号Ｓ１１が「Ｈ」レベルの信号の場合には、後縁位相ずれ方向検出回路１８の出力である後縁位相ずれ方向信号Ｓ９を選択する。
【００５５】
算出回路３２は、選択回路３１で選択された前縁位相ずれ方向検出回路１７又は後縁位相ずれ方向検出回路１８の出力に基づいて第１及び第２の入力信号Ｓ３，Ｓ４間での位相差を算出して、位相差信号Ｓ１２として出力する回路である。
【００５６】
具体的には、算出回路３２は、エクスクルーシブオア回路３７の入力端子に第１及び第２の入力信号Ｓ３、Ｓ４を接続して、第１及び第２の入力信号Ｓ３、Ｓ４の排他的論理和を演算することによって、第１及び第２の入力信号Ｓ３、Ｓ４の位相差の絶対値を算出し、エクスクルーシブオア回路３７の出力端子を２入力１出力型のスイッチ３８の一方の端子に直接接続するとともに、スイッチ３８の他方の端子にエクスクルーシブオア回路３７の出力端子を演算回路３９を介して接続している。
【００５７】
ここで、スイッチ３８は、選択回路３１によって選択された前縁位相ずれ方向信号Ｓ７又は後縁位相ずれ方向信号Ｓ９によって切替制御される構成となっており、前縁位相ずれ方向信号Ｓ７又は後縁位相ずれ方向信号Ｓ９が「Ｈ」レベルの信号の場合には、エクスクルーシブオア回路３７の出力端子側に切替えられ、一方、前縁位相ずれ方向信号Ｓ７又は後縁位相ずれ方向信号Ｓ９が「Ｌ」レベルの信号の場合には、演算回路３９の出力端子側に切替えられる。
【００５８】
また、演算回路３９は、エクスクルーシブオア回路３７の出力信号を−１倍にして出力する回路であり、第１の入力信号Ｓ３の方が第２の入力信号Ｓ４よりも位相が遅れている場合にスイッチ３８で選択される。
【００５９】
位相差検出回路１は、以上に説明したように構成しており、図３〜図５のタイミングチャートに示すように動作する。
【００６０】
すなわち、一般的にみられる前縁側でも後縁側でも第１の入力信号Ｓ３の方が第２の入力信号Ｓ４よりも位相が進んでいる場合には、位相差検出回路１の各部の信号が図３に示すようになり、正確な位相差を検出することができる。
【００６１】
また、第１及び第２の入力信号Ｓ３，Ｓ４の振幅バラツキや回路構成素子の特性バラツキなどに起因して第１及び第２の入力信号Ｓ３，Ｓ４の位相のずれ方向が前縁側では第１の入力信号Ｓ３の方が進んでおり、後縁側では第２の入力信号Ｓ４の方が進んでいる場合には、位相差検出回路１の各部の信号が図４に示すようになり、この場合でも、正確な位相差を検出することができる。
【００６２】
さらに、第２の入力信号Ｓ４にチャタリングが発生している場合には、位相差検出回路１の各部の信号が図５に示すようになり、第１及び第２の入力信号Ｓ３，Ｓ４の位相のずれ方向を正確に検出することができ、この場合でも、正確な位相差を検出することができる。
【００６３】
なお、本発明では、図６に示すように、上記の位相差検出回路１から後縁位相ずれ方向検出回路１８、位相差算出回路１９の判定回路３０と選択回路３１とを削除した構成の位相差検出回路４０としてもよい。
【００６４】
【発明の効果】
本発明は、以上に説明したような形態で実施され、以下に記載されるような効果を奏する。
【００６５】
すなわち、請求項１に係る本発明では、第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有する位相差検出回路において、前記位相ずれ方向検出回路は、位相のずれ方向の検出を行う前に前記第１又は第２の入力信号の波形を整形するための波形整形回路を有しているため、第１又は第２の入力信号にチャタリングが発生しても、第１又は第２の入力信号の波形を整形することで、チャタリングの影響を除去することができ、両信号間の位相差を正確に検出することができる。
【００６６】
また、請求項２に係る本発明では、前記位相ずれ方向検出回路は、前記波形整形回路で前記第１又は第２の入力信号のいずれか一方の入力信号の前縁又は後縁から所定幅を有するパルス信号を生成することによって波形整形を行い、その後、前記パルス信号と他方の入力信号との間での位相のずれ方向を検出するように構成しているため、簡単な回路構成とすることができ、回路規模の増大に伴う部品コストや製造コストの増大を防止することができる。
【００６７】
また、請求項３に係る本発明では、光ディスクのトラッキング方向に対して垂直方向に並設したディテクタの検出信号を第１及び第２の入力信号として、これらの第１及び第２の入力信号間の位相差を位相差検出回路で検出し、この位相差に基づいて光ディスクのトラック制御を行う光ディスク再生装置において、前記位相差検出回路は、第１及び第２の入力信号間での位相のずれ方向を検出する位相ずれ方向検出回路と、この位相ずれ方向検出回路で検出した位相のずれ方向に基づいて前記第１及び第２の入力信号間での位相差を算出する位相差算出回路とを有し、しかも、前記位相ずれ方向検出回路は、位相のずれ方向の検出を行う前に前記第１又は第２の入力信号の波形を整形するための波形整形回路を有しているため、第１又は第２の入力信号にチャタリングが発生しても、第１又は第２の入力信号の波形を整形することで、チャタリングの影響を除去することができ、両信号間の位相差を正確に検出することができ、これにより、光ディスク記録再生装置での光ディスクのトラック制御を良好に行うことができ、光ディスク記録再生装置を安定して動作させることができる。
【００６８】
また、請求項４に係る本発明では、前記位相ずれ方向検出回路は、前記波形整形回路で前記第１又は第２の入力信号のいずれか一方の入力信号の前縁又は後縁から所定幅を有するパルス信号を生成することによって波形整形を行い、その後、前記パルス信号と他方の入力信号との間での位相のずれ方向を検出するように構成しているため、光ディスク記録再生装置における位相差検出回路を簡単な回路構成とすることができ、回路規模の増大に伴う部品コストや製造コストの増大を防止することができる。
【図面の簡単な説明】
【図１】本発明に係る位相差検出回路を示す回路図。
【図２】前方側位相差検出回路を示す回路図。
【図３】位相差検出回路のタイミングチャート。
【図４】位相差検出回路のタイミングチャート。
【図５】位相差検出回路のタイミングチャート。
【図６】他の位相差検出回路を示す回路図。
【図７】従来の位相差検出回路を示す回路図。
【符号の説明】
１  位相差検出回路
２  ４分割ディテクタ
７  前方側位相差検出回路
８  後方側位相差検出回路
１７  前縁位相ずれ方向検出回路
１８  後縁位相ずれ方向検出回路
１９  位相差算出回路
２１，２６  波形整形回路
３０  判定回路
３１  選択回路
３２  算出回路
Ｓ１，Ｓ２  第１及び第２の検出信号
Ｓ３，Ｓ４  第１及び第２の入力信号
Ｓ５，Ｓ６  第１及び第２の反転入力信号
Ｓ７  前縁位相ずれ方向信号
Ｓ９  後縁位相ずれ方向信号
Ｓ１１  判定信号
Ｓ１２  位相差信号
Ｓ１３  位相誤差信号
【図１】
2004362691.tif 000003
【図２】
2004362691.tif 000004
【図３】
2004362691.tif 000005
【図４】
2004362691.tif 000006
【図５】
2004362691.tif 000007
【図６】
2004362691.tif 000008
【図７】
2004362691.tif 000009